(57)【要約】【課題】低体温の症状を改善することができ、製造も容易な靴下を提供する。【解決手段】靴下１０は、人体の脚部Ｆに接触して着用される絹製の第１靴下部材１１と、第１靴下部材１１を被覆する羊毛製の第２靴下部材１２と、第２靴下部材１２を被覆する木綿製の第３靴下部材１３と、第３靴下部材を被覆する麻製の第４靴下部材１４と、を備えている。第１靴下部材１１は、人間の５本の足指がそれぞれ個別に挿入可能な５つの足指収容部を有している。靴下１０を脚部Ｆに着用することにより、脚部Ｆの毛細血管の隅々に至るまで確実に保温され、脚部Ｆからの温度の散逸が抑制されるため、体温が高まり、低体温の症状を改善することができる。【選択図】図１
0003146243.tif 000002
【実用新案登録請求の範囲】
【請求項１】
人体の脚部に接触して着用され、足指が挿入可能な複数の足指収容部を有する絹製の第１靴下部材と、前記第１靴下部材を被覆する羊毛製の第２靴下部材と、前記第２靴下部材を被覆する木綿製の第３靴下部材と、前記第３靴下部材を被覆する麻製の第４靴下部材と、を備えたことを特徴とする靴下。
【請求項２】
人体の脚部の５本の足指が個別に挿入可能な５本の足指収容部を前記第１靴下部材に設けたことを特徴とする請求項１記載の靴下。
【請求項３】
前記第１靴下部材、前記第２靴下部材、前記第３靴下部材、前記第４靴下部材のうちのいずれか２つ以上を一体化させた請求項１または２記載の靴下。
【考案の詳細な説明】
【技術分野】
【０００１】
本考案は、冷え性や低体温症などの症状改善及び健康増進に好適な靴下に関する。
【背景技術】
【０００２】
本来、人間の体温は３６．５℃程度に保たれており、この温度は、体内の酵素が最も活性化され、活発に働く温度である。健康な人の体温を調べると平均３６．５℃程度であり、体内がこの温度に保たれていれば、細胞の新陳代謝が活発となり、免疫力も高まり、殆ど病気をしない状態を維持することができる、といわれている。
【０００３】
一方、低体温や冷え症の人の体温は３６℃未満であることが多く、このような低い温度の下では、身体の新陳代謝が活発に行われず、免疫力が低下して、風邪などの感染症にかかりやすくなったり、花粉症などのアレルギー症状が出やすくなったりすることがある。また、低体温の人は、基礎代謝が低下するため、体脂肪が燃焼され難くなり、太りやすい体質になるともいわれている。
【０００４】
低体温の原因としては、食生活の乱れ、無理なダイエットによるミネラルやビタミンなどの不足、運動不足あるいは過度のストレスによる血行不良などが挙げられるが、いずれも生活習慣に起因するものであるため、各人の努力だけで短期間に体質改善するのは困難であるのが実状である。そこで、脚部に着用することにより、冷え症を改善することのできる靴下が提案されている（例えば、特許文献１，２参照。）。
【０００５】
特許文献１記載の靴下は、人体脚部のくるぶし及び足首を被覆する部分の内面に長めの毛足を出して、これらの部分に点在する４つの経穴（三陰交、太渓、解渓、申脈）を刺激することによって脚部を暖め、冷え症を改善するものである。一方、特許文献２記載の靴下は、外側靴下と内側靴下とを重合して二重構造とすることによって保温性、断熱性を高め、冷え症の解消を図るものである。
【０００６】
【特許文献１】特開２００７−１６２１５５号公報
【特許文献２】特開２００５−１５９４９号公報
【考案の開示】
【考案が解決しようとする課題】
【０００７】
特許文献１記載の靴下は、人体脚部のくるぶし及び足首部分に点在する４つの経穴（三陰交、太渓、解渓、申脈）を刺激する構造となっているので、冷え症の改善に有効であるが、これら以外の部分の保温・断熱作用が低いので、低体温の症状を解消するのは困難である。また、この靴下は、人体脚部のくるぶし及び足首を被覆する部分に他の部分と異なる編み方を施さなければならないので、製造工程の複雑化を招く。
【０００８】
一方、特許文献２記載の靴下は、外側靴下と内側靴下を重合した二重構造であるため、通常の靴下よりも保温性は優れており、糖尿病や冷え症などにより足先が冷たく感じる人の症状改善に有効であるが、低体温の症状を解消するのは困難である。また、この靴下は複雑な二重構造であるため、製造も困難である。
【０００９】
本考案が解決しようとする課題は、低体温の症状を改善することができ、製造も容易な靴下を提供することにある。
【課題を解決するための手段】
【００１０】
本考案の靴下は、人体の脚部に接触して着用され、足指が挿入可能な複数の足指収容部を有する絹製の第１靴下部材と、前記第１靴下部材を被覆する羊毛製の第２靴下部材と、前記第２靴下部材を被覆する木綿製の第３靴下部材と、前記第３靴下部材を被覆する麻製の第４靴下部材と、を備えたことを特徴とする。ここで、前記「脚部」とは、爪先から足首を経て少なくとも脛の一部を含む部分をいう。
【００１１】
このような構成の靴下を脚部に着用すれば、絹製の第１靴下部材、羊毛製の第２靴下部材、木綿製の第３靴下部材及び麻製の第４靴下部材からなる４層構造の天然繊維材によって脚部が被覆され、脚部の毛細血管の隅々に至るまで確実に保温され、温度の散逸が抑制されるため、体温が高まり、低体温の症状を改善することができる。特に、人体の脚部に接触して着用される第１靴下部材を構成する絹は無数の微細孔を有し、多くの空気層を含んでいるため、脚部の冷えを防ぎ、血行を促進させる作用が高く、低体温の改善に有効である。
【００１２】
また、第１靴下部材に、足指が挿入可能な複数の足指収容部を設けたことにより、着用時の足指が動き易くなって筋肉が刺激され、末梢血管の血液循環が良くなるため、体温が上昇し、低体温の改善に有効である。さらに、第１靴下部材〜第４靴下部材はいずれも従来の技術で製造することができるため、製造も容易である。
【００１３】
絹製の第１靴下部材、羊毛製の第２靴下部材、木綿製の第３靴下部材及び麻製の第４靴下部材をこの順番で脚部に着用したときに、体温が高まり、低体温が改善されるという事実は、考案者による多数の実験及び試行錯誤によって得られたものであり、その理由については完全に解明できていないが、前記順番で着用することによって脚部の気の流れが正常化され、人体本来の体温維持機能が回復されるためではないかと推測される。
【００１４】
ここで、人体の脚部の５本の足指が個別に挿入可能な５本の足指収容部を前記第１靴下部材に設けることが望ましい。このような構成とすれば、着用時、５本の足指全てが自由に動くことができるようになるため、筋肉を刺激する作用が高まり、末梢血管の血液循環がさらに良くなり、低体温の改善効果が向上する。
【００１５】
一方、前記第１靴下部材、前記第２靴下部材、前記第３靴下部材、前記第４靴下部材のうちのいずれか２つ以上を一体化させることもできる。このような構成とすれば、第１靴下部材から第４靴下部材まで１枚ずつ順番に着用する手間が省けるので、着用に要する時間を短縮することができる。
【考案の効果】
【００１６】
本考案により、低体温の症状を改善することができ、製造も容易な靴下を提供することができる。
【考案を実施するための最良の形態】
【００１７】
以下、図面に基づいて本考案の実施の形態について説明する。図１は本考案の実施の形態である靴下を脚部に着用した状態を示す一部切欠側面図、図２は第１靴下部材を脚部に着用した状態を示す斜視図、図３は第２靴下部材を脚部に着用した状態を示す斜視図、図４は第３靴下部材を脚部に着用した状態を示す斜視図、図５は第４靴下部材を脚部に着用した状態を示す斜視図である。
【００１８】
図１に示すように、本考案の靴下１０は、人体の脚部Ｆに接触して着用される絹製の第１靴下部材１１と、第１靴下部材１１を被覆する羊毛製の第２靴下部材１２と、第２靴下部材１２を被覆する木綿製の第３靴下部材１３と、第３靴下部材を被覆する麻製の第４靴下部材１４と、を備えている。図２に示すように、第１靴下部材１１は、５本の足指Ｆ１，Ｆ２，Ｆ３，Ｆ４，Ｆ５がそれぞれ個別に挿入可能な５つの足指収容部１１ａ，１１ｂ，１１ｃ，１１ｄ，１１ｅを有する。
【００１９】
図１に示すように、靴下１０を脚部Ｆに着用すれば、絹製の第１靴下部材１１、羊毛製の第２靴下部材１２、木綿製の第３靴下部材１３及び麻製の第４靴下部材１４からなる４層構造の天然繊維材によって脚部Ｆを被覆することができる。これにより、脚部Ｆの毛細血管の隅々に至るまで確実に保温され、脚部Ｆからの温度の散逸が抑制されるため、体温が高まり、低体温の症状を改善することができる。また、人体の脚部Ｆに接触して着用される第１靴下部材１１を構成する絹は、その繊維中に無数の微細孔を有し、多くの空気層を含んでいるため、脚部Ｆの冷えを防ぎ、血行を促進させる作用が高く、低体温の改善に有効である。
【００２０】
また、図２に示すように、第１靴下部材１１に、５本の足指Ｆ１〜Ｆ５がそれぞれ個別に挿入可能な５つの足指収容部１１ａ〜１１ｅを設けたことにより、着用時、５本の足指Ｆ１〜Ｆ５はそれぞれ自由に動くことができる。これにより、足指Ｆ１〜Ｆ５近傍の筋肉が刺激され、末梢血管の血液循環が良くなるため、体温が上昇し、低体温の改善に有効である。また、第１靴下部材１１〜第４靴下部材１４はいずれも従来の技術で製造することができるため、製造工程の煩雑化、複雑化を招くことがなく、製造も容易である。なお、５つの足指収容部１１ａ〜１１ｅを有する第１靴下部材１１は、足Ｆの踵部分を収容するための膨出部分が設けられていないタイプ（左右兼用タイプ）の方が望ましい。
【００２１】
絹製の第１靴下部材１１、羊毛製の第２靴下部材１２、木綿製の第３靴下部材１３及び麻製の第４靴下部材１４をこの順番で脚部に着用したときに、体温が高まり、低体温が改善される理由については完全に解明できていないが、前記順番で着用することによって、脚部Ｆの気の流れが正常化され、人体本来の体温維持機能が回復されるためではないかと推測される。
【００２２】
ここで、図２〜図５に基づいて、本実施形態の靴下１０の着用手順について説明する。靴下１０を着用する場合、まず、図２に示すように、裸足の脚部Ｆに直接、第１靴下部材１１を着用する。第１靴下部材１１は、足挿入口１２ｖと、その付近に形成された伸縮部１２ｗと、５つの足指収容部１１ａ〜１１ｅと、を備えているため、従来の「５本指靴下」と同様、脚部Ｆの爪先を足挿入口１２ｖに差し込み、５本の足指Ｆ１〜Ｆ５をそれぞれ５つの足指収容部１１ａ〜１１ｅに挿入し、伸縮部１１ｗを適切な位置まで引き上げる。これにより、脚部Ｆは第１靴下部材１１で被覆される。
【００２３】
次に、図３に示すように、第１靴下部材１１全体を被覆するように第２靴下部材１２を着用する。即ち、図１に示す状態にある脚部Ｆをその爪先から第２靴下部材１２の足挿入口１２ｖに差し込み、伸縮部１２ｗを適切な位置まで引き上げる。これにより、第１靴下部材１１の５つの足指収容部１１ａ〜１１ｅは、第２靴下部材１２の爪先部１２ｔ内に収容され、第１靴下部材１１全体が第２靴下部材１２によって被覆される。
【００２４】
この後、図４に示すように、第２靴下部材１２全体を被覆するように第３靴下部材１３を着用する。図２に示す状態にある脚部Ｆをその爪先から第３靴下部材１３の足挿入口１３ｖに差し込み、伸縮部１３ｗを適切な位置まで引き上げる。これにより、第２靴下部材１２の爪先部１２ｔは、第３靴下部材１３の爪先部１３ｔ内に収容され、第２靴下部材１２全体が第３靴下部材１３によって被覆される。
【００２５】
最後に、図５に示すように、第３靴下部材１３全体を被覆するように第４靴下部材１４を着用する。前述と同様、図４に示す状態にある脚部Ｆをその爪先から第４靴下部材１４の足挿入口１４ｖに差し込み、伸縮部１４ｗを適切な位置まで引き上げれば、第３靴下部材１３の爪先部１３ｔは、第４靴下部材１４の爪先部１３ｔ内に収容され、第３靴下部材１３全体が第４靴下部材１４で被覆され、これによって靴下１０が形成される。
【００２６】
靴下１０を脱ぐときは、前述と逆の手順をとることにより、第４靴下部材１４から第１靴下部材１１まで１枚ずつ脱いでいくことができるが、靴下１０全体を一度に脱ぐこともできる。靴下１０は、第１靴下部材１１〜第４靴下部材１４が互いに独立しているため、いずれかの靴下部材が汚れたり、損傷したりした場合は、当該靴下部材のみの取り替えで対処することができるため、天然繊維資源の無駄な消費を回避することができる。
【００２７】
一方、第１靴下部材１１、第２靴下部材１２、第３靴下部材１３、第４靴下部材１４のうちのいずれか２つ以上を一体化させることもできる。即ち、互いに隣接する２枚の靴下部材同士（例えば、第２靴下部材１２と第３靴下部材１３、第３靴下部材１３と第４靴下部材１４）を一体化すれば、第１靴下部材１１から第４靴下部材まで１枚ずつ順番に着用する手間が省けるので、着用に要する時間を短縮することができる。また、第１靴下部材１１、第２靴下部材１２、第３靴下部材１３及び第４靴下部材１４を一体化すれば、一度の作業で着用可能となるので、着用時間を大幅に短縮化することができる。なお、前記一体化する手段としては、例えば、接着剤、縫製、編み込みなどを採用することができるが、これらに限定するものではない。
【産業上の利用可能性】
【００２８】
本考案の靴下は、低体温の症状や冷え症に悩む人の症状改善用の靴下として広く利用することができる。
【図面の簡単な説明】
【００２９】
【図１】本考案の実施の形態である靴下を脚部に着用した状態を示す一部切欠側面図である。
【図２】図１に示す靴下を構成する第１靴下部材を脚部に着用した状態を示す斜視図である。
【図３】図１に示す靴下を構成する第２靴下部材を脚部に着用した状態を示す斜視図である。
【図４】図１に示す靴下を構成する第３靴下部材を脚部に着用した状態を示す斜視図である。
【図５】図１に示す靴下を構成する第４靴下部材を脚部に着用した状態を示す斜視図である。
【符号の説明】
【００３０】
１０  靴下
１１  第１靴下部材
１２  第２靴下部材
１３  第３靴下部材
１４  第４靴下部材
１１ａ，１１ｂ，１１ｃ，１１ｄ，１１ｅ  足指収容部
１２ｔ，１３ｔ，１４ｔ  爪先部
１１ｖ，１２ｖ，１３ｖ，１４ｖ  足挿入口
１１ｗ，１２ｗ，１３ｗ，１４ｗ  伸縮部
Ｆ  脚部
Ｆ１，Ｆ２，Ｆ３，Ｆ４，Ｆ５  足指
【図１】
0003146243.tif 000003
【図２】
0003146243.tif 000004
【図３】
0003146243.tif 000005
【図４】
0003146243.tif 000006
【図５】
0003146243.tif 000007